(57)【要約】      （修正有）【課題】くじの数字選択器は、数多くの表示球の中から選ぶのが分かりにくいので、折りたたみ基盤に表示した数字表の中央に係合させた透明指針板を回転させることで、一度で複数の種類の数字を選ぶことができる宝くじ数字選択器を提供する。【解決手段】二枚の基板２，２ａをヒンジ３連結して開閉自在とする基盤４面に、１〜４３を表示した第１数字環と、１〜３１を表示した第２数字環と、０〜９を表示した第３数字環を表示してなる数字表８を設けるとともに、その数字表８の中央部に軸穴９を設け、その軸穴９に支点軸１０を組み合わせた上で、着脱可能なつまみ１１付き透明指針板１３を係合させて回転自在とするくじの数字選択器１とする。【選択図】図１
0003159696.tif 000002
【実用新案登録請求の範囲】
【請求項１】
（公序良俗違反につき、不掲載）の数字を選択する器具であって、二枚の基板をヒンジ連結して開閉自在とする基盤面に、三重輪の外側からランダムに１〜４３の数字を表示した（公序良俗違反につき、不掲載）数字環と、１〜３１の数字を表示した（公序良俗違反につき、不掲載）数字環と、０〜９までの数字を表示した（公序良俗違反につき、不掲載）数字環を記した数字表を表示するとともに、前記数字表の中央に軸穴を設け、その軸穴に抜き差し可能な支点軸を組み合わせ、その支点軸に、着脱可能なつまみ付き透明指針板を係合して成る構成を特徴とする（公序良俗違反につき、不掲載）数字選択器。
【請求項２】
前記する基盤の一部に、透明指針板収納部と支点軸収納部を設けて成る請求項１に記載する（公序良俗違反につき、不掲載）数字選択器。
【考案の詳細な説明】
【技術分野】
【０００１】（公序良俗違反につき、不掲載）
【背景技術】
【０００２】（公序良俗違反につき、不掲載）
【考案の開示】
【考案が解決しようとする課題】
【０００３】（公序良俗違反につき、不掲載）【０００４】（公序良俗違反につき、不掲載）【０００５】  しかし、この数字携帯用選択器は、透明な容器体内に多数の表示球を収納し、その表示体を混合室で混合させて後に、出入り口から表示室内に並列収納した表示球の数字を読み取る方式であるが、子供や高齢者は扱いにくく数字も分かりにくい数字選択器であった。
【課題を解決するための手段】
【０００６】（公序良俗違反につき、不掲載）【０００７】  請求項２においては、前記する基盤の一部に、透明指針板収納部と支点軸収納部を設けることでコンパクトに折りたためて携行できる数字選択器とする。
【考案の効果】
【０００８】（公序良俗違反につき、不掲載）【０００９】（公序良俗違反につき、不掲載）
【考案を実施するための最良の形態】
【００１０】（公序良俗違反につき、不掲載）【００１１】（公序良俗違反につき、不掲載）【００１２】  本考案の実施形態による数字選択器１は上記のような構成であるので、使用する際は、まずヒンジ３連結されている二枚の基板２，２ａを開いてから、基盤４の数字表８の中央に設けた軸穴９に支点軸１０を差し込んで後、その支点軸１０に透明指針板１３のつまみ１１部の支点穴１４を、図３に示すように支点軸１０に係合させてからつまみ１１を回転すると、ルーレット様に透明指針板１３は滑らかに回転して任意の数字部位で止まる。【００１３】（公序良俗違反につき、不掲載）【００１４】（公序良俗違反につき、不掲載）【００１５】  本考案の数字選択器１は以上のような構成であるが、数字表８は直接基盤４面にプリントしてもよいし、シートにプリントしたものを貼り付けても差し支えない。また指針板は全部透明であるが、色表示１２側の半分でも構わず、いずれも特に限定するものではない。
【図面の簡単な説明】
【００１６】
【図１】本考案の実施形態による数字選択器を示す一部省略した分解斜視図である。
【図２】本考案の実施形態における数字選択器の盤面を示す平面図である。
【図３】本考案の実施形態における支点軸と透明指針板の係合状態を示す拡大断面図である。
【図４】本実施形態による数字選択器の組み合わせ例を示す斜視図である。
【符号の説明】
【００１７】（公序良俗違反につき、不掲載）
【図１】
0003159696.tif 000003
【図２】
0003159696.tif 000004
【図３】
0003159696.tif 000005
【図４】
0003159696.tif 000006
【手続補正書】
【提出日】平成22年2月26日(2010.2.26)
【手続補正１】
【補正対象書類名】実用新案登録請求の範囲
【補正対象項目名】全文
【補正方法】変更
【補正の内容】
【実用新案登録請求の範囲】
【請求項１】
くじの数字を選択する器具であって、二枚の基板をヒンジ連結して開閉自在とする基盤面に、三重輪の外側からランダムに１〜４３の第１数字を表示した第１数字環と、１〜３１の第２数字を表示した第２数字環と、０〜９までの第３数字を表示した第３数字環を記した数字表を表示するとともに、前記数字表の中央に軸穴を設け、その軸穴に抜き差し可能な支点軸を組み合わせ、その支点軸に、着脱可能なつまみ付き透明指針板を係合して成る構成を特徴とする数字選択器。
【請求項２】
前記する基盤の一部に、透明指針板収納部と支点軸収納部を設けて成る請求項１に記載する数字選択器。
【手続補正２】
【補正対象書類名】明細書
【補正対象項目名】全文
【補正方法】変更
【補正の内容】
【考案の詳細な説明】
【技術分野】
【０００１】  本考案は、くじの第１数字、第２数字、第３数字などの数字を容易に選択することができる携帯型のくじ数字選択器に関する。
【背景技術】
【０００２】  従来より、くじの数字を選択する際は、購入者の好みで数字を選択する方法が多いが、それ以外に、特定の器具により数字を選択して購入する人も多くなっている。（例えば、特許文献１参照）
【特許文献１】特願２００４−３０５２１
【考案の開示】
【考案が解決しようとする課題】
【０００３】  一般的に行われている購入者の好みでくじの数字を選択する方法は、くじを購入者のその日の気分や特定の数字にこだわりならが購入することが多く、とかく似た数字を選ぶ傾向が多くなるなどの不便がある。【０００４】  さらに特願２００４−３０５２１に開示される技術は、くじに見合う数字を表示した表示球を構成し、その表示球の混合室と、その混合室に連通して前記選択する数字の、少なくとも個数分の前記表示球が並んで収納され、かつ外部から透視可能な表示室を設けた容器体に、前記表示数字の種類数に各種類の表示数字の個数を乗じた数量の前記表示球を収納してなる数字選択式くじの当たり数字携帯用選択器である。【０００５】  しかし、この数字携帯用選択器は、透明な容器体内に多数の表示球を収納し、その表示体を混合室で混合させて後に、出入り口から表示室内に並列収納した表示球の数字を読み取る方式であるが、子供や高齢者は扱いにくく数字も分かりにくい数字選択器であった。
【課題を解決するための手段】
【０００６】  本考案は前記する従来のくじ選択器の不便や欠点を解消するために、請求項１においては、二枚の基板をヒンジ連結して開閉自在とする基盤面に、三重輪の外側からランダムに１〜４３の数字を表示した第１数字環と、１〜３１の数字を表示した第２数字環と、０〜９までの数字を表示した第３数字環を表して成る数字表を設けるとともに、前記数字表の中央に軸穴を設け、その軸穴に抜き差し可能な支点軸を組み合わせた前記支点軸に、着脱可能なつまみ付き透明指針板を係合することで、一度で容易に複数種類のくじの数字を選べる数字選択器とする。【０００７】  請求項２においては、前記する基盤の一部に、透明指針板収納部と支点軸収納部を設けることでコンパクトに折りたためて携行できる数字選択器とする。
【考案の効果】
【０００８】  本考案によるくじ数字選択器は基盤が開閉自在に二つ折りできるとともに、開くと第１数字環と第２数字環、第３数字環それぞれが３重に表示された数字表が現われるとともに、その中央に設けた支点軸穴に支点軸を取り付けて後、一方が赤色表示された透明指針板をセットしてつまみを回すと、ルーレット様に回転してから止まった赤色表示側の数字を選ぶだけで、第１数字はもとより、第２数字や第３数字を個別に選べたり、一度で３タイプのくじ数字を任意に選べるとともに、仮に、各数字の上で止まっても指針板は透明であるので一目で読み取れる機能的にして簡易なくじ数字選択器を構成している。【０００９】  また、各数字は枠や色で区分けされた中に表示されているので明確に分かるため、従来の電子式タイプのように見にくくはなく、子供や高齢者でも一目で数字を読み取りやすい。さらに支点軸は基盤から抜いて支点軸収納穴に、透明指針板は取り外して透明指針板収納穴にそれぞれ収納できるとともに、基盤を二つ折りして留め具を掛けとめるとポケットに納められるほどコンパクトに収納できるため、プレゼントや景品としても活用できるユニークなくじ数字選択器として広く提供できる。
【考案を実施するための最良の形態】
【００１０】  本考案による数字選択器の実施形態を、図１に示す一部省略した分解斜視図と図２に示す平面図で説明する。
本考案によるくじ数字選択器１は、まず長方形の二枚の基板２，２ａをヒンジ３で連結して開閉自在とする方形状の基盤４を形成し、その基盤４面に三重輪を表示し、その三重輪の外側から、図２に示すような数字をランダムに記した数字表８（図１及び図４においては数字を省略）として、１〜４３を区画表示した第１数字環５と、次に１〜３１を区画表示した第２数字環６と、０〜９を区画表示した第３数字環７を表示して成る数字表８を設ける。尚、前記する区画表示の地色は各数字が見やすいように区画ごとに色分けする。〈図示せず〉【００１１】  次に、その数字表８の中央ヒンジ３部に軸穴９を設け、その軸穴９に、上部が円錐状を成す支点軸１０を差し込んで後、前記する外側の第１数字環５の対角端部に届く長さの薄板の中央部につまみ１１を設けて成る一方端部に色表示１２した透明指針板１３の前記つまみ１１部の下部に支点穴１４を設けた透明指針板１３を形成し、その透明指針板１３を、前記基盤４に取り付けた支点軸１０に組み合わせる。加えて、前記基盤４の一部には、透明指針板収納穴１５と支点軸収納穴１６を備えるとともに、一方の基板２側部に突起１７を設け、その突起１７に係合する留め具１８を他方の基板２ａに設けて成る数字選択器１を構成する。【００１２】  本考案の実施形態による数字選択器１は上記のような構成であるので、使用する際は、まずヒンジ３連結されている二枚の基板２，２ａを開いてから、基盤４の数字表８の中央に設けた軸穴９に支点軸１０を差し込んで後、その支点軸１０に透明指針板１３のつまみ１１部の支点穴１４を、図３に示すように支点軸１０に係合させてからつまみ１１を回転すると、透明指針板１３は滑らかに回転して任意の数字部位で止まる。【００１３】  以上のようにして透明指針板１３が止まった色表示１２部もしくは透明指針板１３の下部に位置する数字が選択数字となる。使用する際は、例えば、第１数字の場合は一番外側の１〜４３の第１数字環５から読み取り、後は購入する枚数に応じて透明指針板１３を回転して、その都度数字を選び出す。【００１４】  以下、第２数字の場合も同じように透明指針板１３を回し、外側から二つ目の第２数字環６の１〜３１から選び。さらに第３数字の場合は一番内側の第３数字環７の０〜９の中から透明指針板１３部の数字を選択する。【００１５】  本考案の数字選択器１は以上のような構成であるが、数字表８は直接基盤４面にプリントしてもよいし、シートにプリントしたものを貼り付けても差し支えない。また指針板は全部透明であるが、色表示１２側の半分でも構わず、いずれも特に限定するものではない。
【図面の簡単な説明】
【００１６】
【図１】本考案の実施形態による数字選択器を示す一部省略した分解斜視図である。
【図２】本考案の実施形態における数字選択器の盤面を示す平面図である。
【図３】本考案の実施形態における支点軸と透明指針板の係合状態を示す拡大断面図である。
【図４】本実施形態による数字選択器の組み合わせ例を示す斜視図である。
【符号の説明】
【００１７】  １  数字選択器
２，２ａ基板
４  基盤
５  第１数字環
６  第２数字環
７  第３数字環
８  数字表
９  軸穴
１０  支点軸
１１  つまみ
１３  透明指針板
１４  支点穴